(57)【特許請求の範囲】
【請求項１】
本体部に対して表示部が少なくとも二つの方向に回転可能な電子機器であって、
前記表示部を前記本体部に対して第一の方向に回転させる第一の回転軸と、
前記表示部を前記本体部に対して第二の方向に回転させる第二の回転軸と、
前記表示部が前記第二の方向に回転していない状態では前記本体部と当接し、該表示部が該第二の方向に回転した状態では該本体部から離れる操作部と、
前記操作部と連動して動作するロック部材と、
前記表示部と前記本体部とを互いに接続し、前記ロック部材を受けるロック部材受け部を備えたヒンジ部と、を有し、
前記本体部は、前記第一の方向に回転する回転補助軸を有し、
前記表示部は、前記回転補助軸を挿入可能な開口を備えたＵ字状の溝部を有し、
前記表示部が前記第一の方向に回転していない状態では、前記溝部の開口の方向が該表示部の該第二の方向への回転を許容する方向となり、
前記表示部が前記第一の方向に回転した状態では、前記溝部の開口の方向が該表示部の該第二の方向への回転を妨げる方向となり、
前記表示部が前記第二の方向に回転していない状態では、前記操作部が前記本体部と当接することにより、前記ロック部材が前記ヒンジ部の前記ロック部材受け部から退避し、
前記表示部が前記第二の方向に回転した状態では、前記操作部が前記本体部から離れることにより、前記ロック部材が前記ヒンジ部の前記ロック部材受け部に受けられることを特徴とする電子機器。
【請求項２】
前記ロック部材が前記ヒンジ部の前記ロック部材受け部から退避した状態では、前記表示部の前記本体部に対する前記第一の方向への回転が可能であり、
前記ロック部材が前記ヒンジ部の前記ロック部材受け部に受けられた状態では、前記表示部の前記本体部に対する前記第一の方向への回転が規制されることを特徴とする請求項１に記載の電子機器。
【請求項３】
前記ロック部材が前記ヒンジ部の前記ロック部材受け部に受けられるように前記操作部に付勢力を与える弾性部材を更に有し、
前記表示部が前記第二の方向に回転していない状態では、前記弾性部材の前記付勢力に反するように前記操作部が前記本体部と当接することを特徴とする請求項１または２に記載の電子機器。
【請求項４】
前記表示部が前記第二の方向に回転していない状態では、前記操作部が前記本体部の前記回転補助軸と当接することにより、前記ロック部材が前記ヒンジ部の前記ロック部材受け部から退避し、
前記表示部が前記第二の方向に回転した状態では、前記操作部が前記本体部の前記回転補助軸から離れることにより、前記ロック部材が前記ヒンジ部の前記ロック部材受け部に受けられることを特徴とする請求項１乃至３のいずれか１項に記載の電子機器。
【請求項５】
前記操作部は、前記表示部が前記第二の方向に回転していない状態で前記本体部と当接する面に突起部を有し、
前記表示部を前記第二の方向に回転させる場合、前記操作部は、前記本体部が前記突起部を乗り上げて該本体部から離れることを特徴とする請求項１乃至４のいずれか１項に記載の電子機器。
【請求項６】
前記第一の回転軸は、当該第一の回転軸に平行な前記表示部の端部近傍に設けられることを特徴とする請求項１乃至５のいずれか１項に記載の電子機器。
【請求項７】
前記第二の回転軸は、当該第二の回転軸に平行な前記表示部の端部近傍に設けられることを特徴とする請求項１乃至６のいずれか１項に記載の電子機器。
【請求項８】
前記ロック部材が前記ヒンジ部の前記ロック部材受け部に受けられた状態では、前記表示部の前記本体部に対する前記第一の方向への回転が規制され、前記表示部の前記本体部に対する前記第一の方向と反対の方向への回転が可能であることを特徴とする請求項１乃至７のいずれか１項に記載の電子機器。
【請求項９】
前記ロック部材受け部は、前記ロック部材が挿入可能な穴部で形成されていて、
前記表示部が前記第二の方向に回転していない状態では、前記操作部が前記本体部と当接することにより、前記ロック部材が前記穴部から退避し、
前記表示部が前記第二の方向に回転した状態では、前記操作部が前記本体部から離れることにより、前記ロック部材が前記穴部に挿入されることを特徴とする請求項１乃至８のいずれか１項に記載の電子機器。
【請求項１０】
前記ロック部材受け部は、前記表示部へ向けて突出した突出部で形成されていることを特徴とする請求項１乃至９のいずれか１項に記載の電子機器。
【発明の詳細な説明】
【技術分野】
【０００１】
本発明は、ヒンジ構造を有する電子機器に関する。
【背景技術】
【０００２】
従来から、携帯電話などの電子機器において、操作部（本体部）に対して表示部を移動させることができる電子機器が知られている。これらの電子機器において、表示部と操作部は、１軸または２軸のヒンジを用いて互いに接続されている。２軸のヒンジで接続されている電子機器として、表示部と操作部が向かい合った折り畳み状態から、縦開きと横開きの両方の状態に変更可能なものがある。例えば、通話の際には縦開きに設定し、情報入力の際には横開きに設定することで、電子機器としての使い勝手を向上させることができる。
【０００３】
また、縦開きと横開きの両開き構造を有する携帯電話において、ヒンジ部の回転を規制する規制部材を設けているものがある。このような規制部材は、いずれか一方の軸が回転した状態において、他方の軸の回転を規制する。例えば特許文献１には、ヒンジ部としての縦開き軸と横開き軸との間に両軸を規制する規制部材を設けることで、一方の軸が回転した場合に他方の軸の回転を規制するヒンジ構造を備えた携帯電子機器が開示されている。
【先行技術文献】
【特許文献】
【０００４】
【特許文献１】特開２００９−６８５５０号公報
【発明の概要】
【発明が解決しようとする課題】
【０００５】
しかしながら、特許文献１に開示された携帯電子機器のヒンジ構造では、ヒンジ部の両軸の回転を規制する規制部材がヒンジ部の近傍、すなわち本体部や表示部の外側に設けられている。このため、ヒンジ部が大型化してしまう。
【０００６】
そこで本発明は、ヒンジ部を小型化した電子機器および撮像装置を提供する。
【課題を解決するための手段】
【０００７】
本発明の一側面としての電子機器は、本体部に対して表示部が少なくとも二つの方向に回転可能な電子機器であって、前記表示部を前記本体部に対して第一の方向に回転させる第一の回転軸と、前記表示部を前記本体部に対して第二の方向に回転させる第二の回転軸と、前記表示部が前記第二の方向に回転していない状態では前記本体部と当接し、該表示部が該第二の方向に回転した状態では該本体部から離れる操作部と、前記操作部と連動して動作するロック部材と、前記表示部と前記本体部とを互いに接続し、前記ロック部材を受けるロック部材受け部を備えたヒンジ部と、を有し、前記本体部は、前記第一の方向に回転する回転補助軸を有し、前記表示部は、前記回転補助軸を挿入可能な開口を備えたＵ字状の溝部を有し、前記表示部が前記第一の方向に回転していない状態では、前記溝部の開口の方向が該表示部の該第二の方向への回転を許容する方向となり、前記表示部が前記第一の方向に回転した状態では、前記溝部の開口の方向が該表示部の該第二の方向への回転を妨げる方向となり、前記表示部が前記第二の方向に回転していない状態では、前記操作部が前記本体部と当接することにより、前記ロック部材が前記ヒンジ部の前記ロック部材受け部から退避し、前記表示部が前記第二の方向に回転した状態では、前記操作部が前記本体部から離れることにより、前記ロック部材が前記ヒンジ部の前記ロック部材受け部に受けられる。
【０００８】
本発明の他の目的及び特徴は、以下の実施例において説明される。
【発明の効果】
【０００９】
本発明によれば、ヒンジ部を小型化した電子機器および撮像装置を提供することができる。
【図面の簡単な説明】
【００１０】
【図１】第一実施形態における電子機器の斜視図である。
【図２】第一実施形態における電子機器の詳細図である。
【図３】第一実施形態の電子機器において、第二の方向のロック構造を示す図である。
【図４】第一実施形態の電子機器において、第一の方向のロック構造を示す図である。
【図５】第一実施形態の電子機器において、操作部の先端周囲の構成図である。
【図６】第一実施形態における電子機器の斜視図である。
【図７】第二実施形態の電子機器において、第一の方向のロック構造を示す図である。
【発明を実施するための形態】
【００１１】
以下、本発明の実施例について、図面を参照しながら詳細に説明する。各図において、同一の部材については同一の参照番号を付し、重複する説明は省略する。
＜第一実施形態＞
まず、図１を参照して、第１の実施形態における電子機器（撮像装置：デジタルカメラ）の構造について説明する。本実施形態の電子機器は、本体部に対して表示部が少なくとも二つの方向に回転可能な電子機器である。なお本実施形態では、電子機器としてデジタルカメラを示しているが、これに限定されるものではなく、本実施形態はビデオカメラ、ポータブルディスプレイ、モバイル機器などの他の電子機器にも適用可能である。
【００１２】
図１は、本実施形態におけるデジタルカメラ１００の斜視図である。デジタルカメラ１００は、後述のように、表示部の回転機構を備えて構成される。図１（ａ）は表示部を本体部に収納した状態（収納状態）、図１（ｂ）は表示部をローアングルにした状態（ローアングル状態）、図１（ｃ）は表示部を対面させた状態（対面状態）をそれぞれ示す。
【００１３】
図１（ａ）〜（ｃ）において、１０１は表示部、１０２はレンズ（撮像レンズ）、１０３は表示部１０１を回転させるヒンジ部（回転機構）、１０４は本体部である。レンズ１０２は、被写体像を取得して表示部１０１に被写体像を表示させるための撮像光学系である。ヒンジ部１０３は、表示部１０１と本体部１０４とを互いに接続し、後述のロック部材１２０が挿入可能な穴部１２２を備えて構成される。表示部１０１は、ヒンジ部１０３を介して本体部１０４に取り付けられており、本体部１０４に対して表示部１０１の位置を回転移動させることができる。
【００１４】
図１（ａ）に示されるように、表示部１０１は、通常、デジタルカメラ１００の後方に収納されている。前方の被写体に向けてデジタルカメラ１００を使用する場合、収納状態の表示部１０１のＬＣＤパネルを見ながら撮影することができる。被写体に対してユーザが上方向から撮影する場合、図１（ｂ）に示されるように、表示部１０１をローアングル状態にすることで、表示部１０１の視認性を向上させることができる。また、被写体と撮影者が同じ方向にいる場合やユーザ自身を撮影したい場合、図１（ｃ）に示されるように、表示部１０１を対面状態することで、撮影者がＬＣＤパネルの画像を確認しながら撮影することができる。
【００１５】
表示部１０１を収納状態（図１（ａ））からローアングル状態（図１（ｂ））へ変更する際には、表示部１０１の下端部１０１ａを持ち上げることにより、表示部１０１を移動させることができる。また、表示部１０１を収納状態（図１（ａ））から対面状態（図１（ｃ））へ変更する際には、本体部１０４のザグリ部１０４ａに指等を入れて、表示部１０１の右側面１０１ｂを持ち上げることにより、表示部１０１を移動させることができる。なお図１に示される撮像装置では、表示部１０１を二つの方向のうち一方向に回転させることでローアングル状態に設定され、表示部１０１を他の方向に回転させることで対面状態に設定されるが、本実施形態はこれに限定されるものではない。
【００１６】
次に、図２を参照して、デジタルカメラ１００のヒンジ部１０３の構成について説明する。図２はヒンジ部１０３の詳細図であり、図２（ａ）は左側面図、図２（ｂ）は正面図、図２（ｃ）は底面図である。図２は、ヒンジ部１０３の構造を見やすくするため、ヒンジ部１０３の外観カバーと本体部１０４の構成を取り外して示している。
【００１７】
１０５は、表示部１０１を本体部１０４に対して図２中のＡ方向（第一の方向）に回転させる第一の回転軸である。第一の回転軸１０５は、軸１０５ａを中心に回転することにより、表示部１０１をＡ方向に回転させることができる。１０６は、表示部１０１を本体部１０４に対して図２中のＢ方向（第二の方向）に回転させる第二の回転軸である。第二の回転軸１０６は、軸１０６ａを中心に回転することにより、表示部１０１をＢ方向に回転させることができる。
【００１８】
１０７ａは、第一の回転軸１０５と第二の回転軸１０６をつなぐヒンジ板金である。ヒンジ板金１０７ａは、第二の方向に表示部１０１を回転させる際に、表示部１０１および第一の回転軸１０５とともに回転する。１０７ｂは、本体部１０４に取り付けられるベース板金である。ベース板金１０７ｂを本体部１０４に固定することで、表示部１０１およびヒンジ部１０３を本体部１０４に締結する。
【００１９】
本実施例では、第一の回転軸１０５の回転可能角度は、収納位置を基準として、表示部１０１が上を向く方向（第一の方向：Ａ方向）に９０度である。また、第二の回転軸１０６の回転可能角度は、収納位置を基準として、第二の方向（Ｂ方向）に１８０度である。なお、図示しないが、第一の回転軸１０５および第二の回転軸１０６には、フリクションバネ（弾性部材）が挿入されており、表示部１０１を任意の回転角度で固定することができる。
【００２０】
第一の回転軸１０５は、表示部１０１の上側の端部近傍（第一の回転軸１０５に平行な端部の近傍）に配置されている。これにより、表示部１０１を収納状態からワンアクションで第一の回転軸１０５の周りに回転させることができる。また第二の回転軸１０６は、表示部１０１の左側の端部近傍（第二の回転軸１０６に平行な端部の近傍）に配置されている。これにより、表示部１０１を収納状態からワンアクションで第二の回転軸１０６の周りに回転させることができる。従って、ユーザが収納状態からワンアクションで表示部１０１の位置を任意の位置に変更可能であり、表示部１０１の操作性が向上する。なお、平行とは、厳密に平行である状態だけでなく、実質的に平行であると評価される状態（略平行）も含む意味である。
【００２１】
次に、図３を参照して、表示部１０１が第一の方向に回転している際における第二の方向のロック構造について説明する。図３（ａ）は、ロック構造を示す斜視図である。１０８は、本体部１０４に取り付けられている回転補助軸である。回転補助軸１０８は、収納状態において第一の方向に回転可能に構成され、操作部１２３の上に設けられている。１０９は、表示部１０１に設けられた溝部であり、回転補助軸１０８を挿入可能な開口を備えたＵ字状の溝部である。溝部１０９の開口は、表示部１０１の背面側に設けられている。
【００２２】
図３（ｂ）、（ｃ）は、ロック構造部の拡大図である。図３（ｂ）は、表示部１０１が収納位置にある状態を示す。この状態で表示部１０１をＣ方向に動かすと、回転補助軸１０８がＵ字状の溝部１０９の開口を抜けて、表示部１０１を第二の方向に回転させることができる。一方、図３（ｃ）は、表示部１０１が収納状態から所定角度だけ第一の方向に回転した状態を示す。この状態で表示部１０１をＣ方向に動かそうとしても、回転補助軸１０８がＵ字状の溝部１０９から抜け出せず、表示部１０１を第二の方向に回転させることができない。このように、表示部１０１が第一の方向に回転していない状態では、溝部１０９の開口の方向が第二の方向と一致し、表示部１０１の第二の方向への回転が許容される。一方、表示部１０１が第一の方向に回転した状態では、溝部１０９の開口の方向が第二の方向と異なり、表示部１０１の第二の方向への回転が妨げられる。
【００２３】
このような構成を有するロック構造部により、表示部１０１が任意の角度だけ第一の方向へ回転した状態で、表示部１０１の第二の方向への回転をロックすることが可能となる。このように、表示部１０１が第一の方向へ回転した状態では第二の方向に回転しないように構成されているため、第一の方向への回転操作を容易に行うことができる。また、デジタルカメラ１００の使用中に不用意に第二の方向へ回転することが防止されるため、操作性の良い表示部を備えたデジタルカメラを提供することができる。
【００２４】
次に、図４を参照して、表示部１０１が第二の方向に回転している際における第一の方向のロック構造について説明する。図４は、第一の方向のロック構造を示す図である。図４では、ロック構造の説明のため、表示部１０１の外観カバーや各部品などを透視している。図４（ａ）は表示部１０１が本体部１０４に収納されている状態（収納状態）を示し、図４（ｂ）は表示部１０１が収納状態から第２回転方向に所定の角度だけ回転した状態を示している。
【００２５】
１２０は、第一の方向の回転ロックを掛けるロック部材であり、ロック軸１２１を中心に回転移動する。ロック部材１２０は、後述の操作部１２３と連動して動作する。図４（ａ）に示される収納状態では、ロック部材１２０は表示部１０１側に退避し、ロック部材１２０によるロックが解除されている。一方、図４（ｂ）に示される状態では、ロック部材１２０は表示部１０１からヒンジ部１０３側に突出し、ロック部材１２０によりロックされる。また図４（ｃ）は、ロック部材１２０によりロックされている状態を示しており、ロック部分の詳細斜視図である。ヒンジ部１０３のヒンジ板金１０７ａには穴部１２２が設けられている。図４（ｃ）に示されるように、ロック部材１２０がヒンジ板金１０７ａの穴部１２２に挿入されることにより、第一の方向（Ａ方向）において表示部１０１を回転させることができなくなる。
【００２６】
図４（ａ）、（ｂ）において、１２３は、ロック軸１２１を中心としてロック部材１２０を回転移動させる操作部である。操作部１２３の先端には、ロック部材１２０が接続されている。図４（ａ）に示されるように収納状態では、操作部１２３はバネ１２５（弾性部材）により図中のＤ方向（右方向）に付勢されている。このとき、ロック部材１２０はヒンジ板金１０７ａの穴部１２２から退避しているため、表示部１０１は、第一の方向のロックが解除された状態となる。
【００２７】
一方、図４（ｂ）に示されるように操作部１２３が図中のＥ方向（左方向）に押されると、ロック部材１２０がロック軸１２１を中心に回転する。そしてロック部材１２０は、表示部１０１からヒンジ部１０３側に突出し、ヒンジ板金１０７ａの穴部１２２に挿入される。これにより、表示部１０１は、第一の方向にロックされた状態となる。
【００２８】
操作部１２３の先端（図４（ａ）の右側先端部）は、Ｕ字状の溝部１０９の中で露出している。表示部１０１が収納状態または第一の方向における回転状態の場合、回転補助軸１０８が溝部１０９の中に嵌っている。このとき、溝部１０９の中で露出している操作部１２３の先端部は、回転補助軸１０８により押されている。このため、表示部１０１の第一の方向のロックが解除された状態となる。一方、表示部１０１を第二の方向に回転させると、回転補助軸１０８は溝部１０９から抜ける。このとき、操作部１２３は回転補助軸１０８により押されていない。このため、表示部１０１の第一の方向のロックが掛かった状態となる。
【００２９】
このように操作部１２３は、表示部１０１が第二の方向に回転していない状態では本体部１０４と当接する。一方、操作部１２３は、表示部１０１が第二の方向に回転した状態では本体部１０４から離れる。そして、表示部１０１が第二の方向に回転していない状態では、操作部１２３が本体部１０４と当接することにより、ロック部材１２０がヒンジ部１０３の穴部１２２から退避する。一方、表示部１０１が第二の方向に回転した状態では、操作部１２３が本体部１０４から離れることにより、ロック部材１２０がヒンジ部１０３の穴部１２２に挿入される。
【００３０】
このようにバネ１２５は、ロック部材１２０がヒンジ部１０３の穴部１２２に挿入されるように操作部１２３に付勢力を与える（図４（ｂ））。そして、表示部１０１が第二の方向に回転していない状態（収納状態）では、バネ１２５の付勢力に反するように操作部１２３が本体部１０４の回転補助軸１０８と当接する（図４（ａ））。なお本実施形態において、操作部１２３は、表示部１０１が第二の方向に回転していない状態では本体部１０４の回転補助軸１０８と当接している。ただし、本実施形態はこれに限定されるものではなく、操作部１２３が本体部１０４の他の部位と当接するように構成されていてもよい。
【００３１】
このような構成により、表示部１０１を第二の方向に所定の角度だけ回転させた状態では、表示部１０１の第一の方向における回転を妨げるようにロックが掛けられる。このため、表示部の回転操作が容易で、かつ、デジタルカメラ使用中に不用意に回転しない操作性の良い表示部を備えたデジタルカメラを提供することができる。また、このような表示部の内部にロック機構を構成することで、ヒンジ部を小型化したデジタルカメラを提供することが可能となる。
【００３２】
次に、本実施例のデジタルカメラ１００をローアングル状態に変更する場合の構造上の特徴について説明する。収納状態からローアングル状態に変更するには、表示部１０１の下端を持ち上げて第一の方向に移動させることで表示部１０１を開く。このとき、表示部１０１の下端において保持する位置や表示部１０１を持ち上げる際に掛かる力の方向によっては、表示部１０１が第二の方向に移動してしまう場合がある。表示部１０１が第二の方向に移動すると、表示部１０１の第一の方向への移動にロックが掛かり、デジタルカメラ１００をローアングル状態にすることができない。
【００３３】
そこで本実施例では、表示部１０１の下端を持ち上げて表示部１０１を第一方向に回転させようとする場合、表示部１０１を優先的に第一の方向に回転させるため、第二の方向よりも第一の方向に移動しやすいように設定される。具体的には、表示部１０１は、収納状態で回転を開始する際に、ある一定荷重で引っ張らなければ第二の方向に回転しないように構成されている。以下、図５を参照して、このような機能を実現する構成について説明する。
【００３４】
図５は、操作部１２３の先端周囲の構成図であり、図５（ａ）は操作部１２３の先端周囲の斜視図、図５（ｂ）は操作部１２３の先端周囲の断面図をそれぞれ示す。操作部１２３は、表示部１０１が第二の方向に回転していない状態（収納状態）で、本体部１０４（回転補助軸１０８）と当接する面１２３ａを有する。また、操作部１２３の面１２３ａには突起部１２４が設けられている。表示部１０１の収納状態では、操作部１２３は回転補助軸１０８に接しており、回転補助軸１０８は突起部１２４を避けた位置（面１２３ａのうち突起部１２４が形成されていない箇所）で操作部１２３を（図５（ｂ）中の左方向に）押している。
【００３５】
このような構成で、収納状態において表示部１０１を第二の方向に回転させようとすると、操作部１２３を含む表示部１０１が図５（ｂ）中のＣ方向に引き上げられる。操作部１２３はバネ１２５で（図５（ｂ）中の右方向に）付勢されている。このため、操作部１２３は、突起部１２４を乗り上げるようにバネ１２５に対抗して退避する。突起部１２４を乗り上げる過程で摩擦荷重がかかるため、表示部１０１を第二の方向に回転させるには、ある一定以上の荷重で表示部１０１を引き上げる必要がある。
【００３６】
本実施形態では、表示部１０１を第二の方向に回転させる場合、操作部１２３は、本体部１０４が突起部１２４を乗り上げて本体部１０４から離れる。これにより、表示部１０１を収納位置から第一の方向に回転させようとする場合、第二の方向よりも第一の方向に回転しやすいため、表示部１０１の操作性を向上させることができる。
【００３７】
次に、本実施例のデジタルカメラ１００を対面状態に変更する場合の構造上の特徴について説明する。収納状態から対面状態に変更するには、表示部１０１の右側面（ザグリ部１０４ａに露出した箇所）を持ち上げて第二の方向に回転させて開く。このとき、表示部１０１の右側面において保持する位置や持ち上げる位置により、表示部１０１が第一の方向に回転してしまう場合がある。このように表示部１０１が第一の方向に回転すると、表示部１０１の第二の方向のロックが掛かり、表示部１０１を対面状態にすることができない。そこで本実施例では、表示部１０１を持ち上げる位置を規制している。以下、図６を参照して、このような機能を実現する構成について説明する。
【００３８】
図６は、デジタルカメラ１００の斜視図である。本実施例において、収納状態では、表示部１０１の右側面１０１ｂが本体部１０４に埋もれており、ユーザは表示部１０１の右側面１０１ｂに触れられない状態になっていない。本体部１０４に設けられたザグリ部１０４ａは、収納状態において表示部１０１の右側面１０１ｂが一部露出するようなザグリ形状を有する。
【００３９】
またザグリ部１０４ａは、第一の回転軸１０５の近傍に設けられている。ユーザがザグリ部１０４ａに指などを入れて表示部１０１の右側面１０１ｂを持ち上げることにより、第二の回転軸１０６が回転し、表示部１０１を対面状態に変更することができる。表示部１０１の右端（右側面１０１ｂ）は、ザグリ部１０４ａを除いて、本体部１０４に埋め込まれている。このため、ユーザはザグリ部１０４ａ以外の部分で表示部１０１の右側面１０１ｂに触れることができず、ザグリ部１０４ａの箇所でなければ表示部１０１の右側面１０１ｂを第二の方向に持ち上げることは困難である。従って、表示部１０１の右側面１０１ｂにおいて持ち上げ可能な位置は、ザグリ部１０４ａの位置であり、第一の回転軸１０５の近傍である。これにより、第一の回転軸１０５の回転方向（第一の方向）に力が掛かりにくい。このため、表示部１０１が優先的に第二の方向に開き、第二の方向に回転させる際の表示部１０１の操作性を向上させることができる。
＜第二実施形態＞
次に、図７を参照して、本発明の第二実施形態におけるデジタルカメラ（電子機器）について説明する。本実施例形態は、表示部の第一の方向のロック機構が第一実施形態と異なり、他の構成は第一実施形態と同様であるため、それらの説明は省略する。
【００４０】
図７は、第一の方向のロック構造を示す図である。図７（ａ）は第一の方向のロック構造の詳細図、図７（ｂ）、（ｃ）はロック構造による表示部１０１の動作を示している。図７（ａ）に示されるように、ヒンジ板金２０１には穴部２０２が設けられている。穴部２０２は、コの字形状を有し、かつ、穴部２０２の一方が開放した開放部２０２ａを有する。ロック部材２０３が穴部２０２に掛かることにより、表示部１０１の第一の方向の回転がロックされる。
【００４１】
ロック部材２０３が穴部２０２に掛かった状態では、ロック部材２０３を含む表示部１０１は、図７（ａ）中のＦ方向に回転ロックが掛かり、Ｆ方向の回転が規制される。一方、図７（ａ）中のＧ方向（Ｆ方向と反対の回転方向）には、穴部２０２が開放した開放部２０２ａがあるため、Ｇ方向にはロックが掛からない。このため、Ｇ方向にはロック部材２０３を含む表示部１０１の回転が可能である。
【００４２】
表示部１０１を第二の方向に回転させる際には、第一の回転軸のＦ方向（図７（ａ））の回転が規制される。すなわち、図７（ｂ）に示されるように、ユーザが表示部１０１をＨ方向に引っ張ると、第一の回転軸のＦ方向の回転がロックされ、第二の回転軸のみが回転する。一方、穴部２０２には開放部２０２ａが設けられている。このため図７（ｃ）に示されるように、収納状態から第二の回転軸を１８０度回転させた状態（対面状態）において、ユーザが表示部１０１をＦ方向と反対の方向（図７（ａ）中のＧ方向）に回転させると、ロックの掛かってないＩ方向に回転する。この結果、デジタルカメラ１００を高い位置から撮影するハイアングル撮影ができるように、表示部１０１を回転移動させることが可能である。このように本実施形態では、表示部を第二の方向に回転させた場合に第一の方向の回転角度の一部領域のみを規制することにより、表示部の回転操作性を向上させつつ、より柔軟に表示部の位置を設定することができる。
【００４３】
上記各実施形態によれば、少なくとも二つの方向に回転可能な表示部がいずれか一方向に回転した状態で他方向の回転をロックする機構を、ヒンジ部ではなく表示部または本体部に設けることができる。このため、ヒンジ部を小型化した電子機器および撮像装置を提供することができる。
【００４４】
以上、本発明の好ましい実施形態について説明したが、本発明はこれらの実施形態に限定されず、その要旨の範囲内で種々の変形及び変更が可能である。
【００４５】
例えば、上記各実施形態において、穴部１２２、２０２は、それぞれヒンジ板金１０７ａ、２０１に設けられた開口であるが、開口でなくてもヒンジ板金１０７ａ、２０１の他の部分よりも厚みを薄くしたり凹ませることで穴部１２２、２０２としてもよい。
【００４６】
また、例えば、穴部１２２、２０２の代わりに、ヒンジ板金１０７ａ、２０１に表示部１０１に向けて突出したリブなどの突出部を設け、その突出部にロック部材１２０、２０３が当接することで表示部１０１の第一の方向への回転を規制するようにしてもよい。すなわち、ヒンジ板金に設けられた穴部や突出部などで形成されたロック部材受け部によって、操作部と連動してヒンジ部側に突出したロック部材を受けることで、ロック部材の第一の方向への回転を規制し、表示部１０１の第一の方向への回転を規制すればよい。
【符号の説明】
【００４７】
１００  デジタルカメラ（電子機器）
１０１  表示部
１０３  ヒンジ部
１０４  本体部
１０５  第一の回転軸
１０６  第二の回転軸
１２０  ロック部材
１２２  穴部
１２３  操作部
【図１】
0005984496.tif 000002
【図２】
0005984496.tif 000003
【図３】
0005984496.tif 000004
【図４】
0005984496.tif 000005
【図５】
0005984496.tif 000006
【図６】
0005984496.tif 000007
【図７】
0005984496.tif 000008